Podtech/llm-jp-corpus-v4-ja_patent huggingface dataset:
【手続補正書】
【提出日】平成18年10月25日(2006.10.25)
【手続補正１】
【補正対象書類名】明細書
【補正対象項目名】請求項５
【補正方法】変更
【補正の内容】
【請求項５】  強誘電体メモリ素子（６，７６，２１２，２１４）からなるメモリ・セル（１７，７０，２１０）と、ビット・ライン（７９，２２０，２２２）と、ワード・ライン（８６，２２１）と、プレート・ライン（８５，２２４）と、プリチャージ信号ライン（１５，１１５，２５５）と、ワード・ラインに接続され、ワード・ライン上のワード信号に応答してビット・ライン及び強誘電体メモリ素子を電気的に接続し、ワード信号が終了したときにビット・ライン及び強誘電体メモリ素子を電気的に切断する第１スイッチ（１３，１４，７８，２０２，２１４）と、電流ソース／シンク（１１，１１２，２６１，２６２）と、プリチャージ信号ラインに接続され、プリチャージ信号ライン上のプリチャージ信号に応答してビット・ライン及び電流ソース／シンクを電気的に接続し、プリチャージ信号が終了したときにビット・ライン及び電流ソース／シンクを電気的に切断する第２スイッチ（１０，１１０，２５２，２５３）とからなる強誘電体集積回路メモリ（１８，４３６）において、該メモリは、単一の読み取りサイクルの間に、プリチャージ信号、次いでワード信号を供給し、その後読み取りサイクルが完了する時点の前にプリチャージ信号を終了させる信号発生器（１２，４８０）を備えていることを特徴とする強誘電体集積回路メモリ。
【手続補正２】
【補正対象書類名】明細書
【補正対象項目名】請求項８
【補正方法】変更
【補正の内容】
【請求項８】  請求項５記載の強誘電体集積回路メモリにおいて、第１及び第２スイッチは、各々ゲート（１９，１０８，２１６，２１８，２５８，２５９）を有する第１及び第２トランジスタ（７８，１１０，２０２，２０３，２５２，２５３）で構成され、ワード・ラインは第１トランジスタのゲートに接続され、プリチャージ・ラインは第２トランジスタのゲートに接続されていることを特徴とする強誘電体集積回路メモリ。
【手続補正３】
【補正対象書類名】明細書
【補正対象項目名】請求項９
【補正方法】変更
【補正の内容】
【請求項９】  請求項８記載の強誘電体集積回路メモリにおいて、更に、ワード信号（ＷＯＲＤ）及びプリチャージ信号（φ2）がメモリの電源電圧よりも高く昇圧されるよう構成されていることを特徴とする強誘電体集積回路メモリ。
【手続補正４】
【補正対象書類名】明細書
【補正対象項目名】請求項１２
【補正方法】変更
【補正の内容】
【請求項１２】  強誘電体メモリ素子（６，７６，２１２，２１４）からなるメモリ・セル（１７，７０，２１０）と、センス・アンプと、前記強誘電体メモリ素子及び前記センス・アンプに電気的に接続されている又は接続可能な検知ライン（８，７９，２０，２２２）とからなる強誘電体集積回路メモリ（１８，４３６）において、該メモリは、前記センス・アンプに関連せず、前記検知ラインに電気的に接続可能な電流ソース／シンクであって、前記検知ラインが前記強誘電体メモリ素子に電気的に接続されている間、読み取りサイクルの一部の間に前記検知ラインから電荷を除去する電流ソース／シンク（１１，１１２，２６１，２６２）を備えていることを特徴とする強誘電体集積回路メモリ。
【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】化学的構成物（１７）を収納する容器（１０、１０ａ、１０ｂ、１０ｃ）であって、前記容器は、内部空間を完全に包囲し、内部と外部とを有する不可入性の材料（１８、１８ａ、１８ｂ、１８ｃ）と、前記容器（１０、１０ａ、１０ｂ、１０ｃ）の内部に配置され、識別情報を保持するとともに前記内部空間の物理的又は化学的パラメータを測定できる識別タグ／センサ（１２、２６、３６）と、前記識別タグ／センサに関連付けられた少なくとも１つのアンテナ（１４、１４ａ、１６、１６ａ、２２、２２ａ、２４）と、を有していて、前記アンテナが少なくとも２つのワイヤのループ（１４、１４ａ、１６、１６ａ）を有し、第１の前記ワイヤ（１６、１６ａ）が、前記容器（１０）の前記不可入性の材料（１８）及び前記識別タグ／センサ（１２）の近傍で前記内部に配置され、第２の前記ワイヤ（１４、１４ａ）が、前記容器（１０）の周囲で前記外部に配置されている、容器。
【請求項２】前記第１のワイヤ（１６、１６ａ）が、前記識別タグ／センサ（１２）の受信アンテナとして使用され、前記第２のワイヤ（１４、１４ａ）が、前記識別タグ／センサ（１２）の送信アンテナとして使用され、前記識別タグ／センサ（１２）が、前記送信アンテナと関連付けられた通信手段によって作動させられる、請求項１に記載の容器。
【請求項３】前記センサ（２６）が、前記容器（１０ａ）の前記不可入性の材料（１８ａ）の近傍に配置されたワイヤ（２２）のループ近傍でワイヤ（２２）のループに結合されており、前記ワイヤ（２２）の前記ループが、前記容器（１０ａ）の外部のアンテナ（２４）と誘導的に関連付けられている、請求項１に記載の容器。
【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  同調可能な強誘電体層（１６）と、該強誘電体層に隣接する第１及び第２の電極（１８、２０）とが同調可能なキャパシタを形成する電圧により同調可能な誘電体バラクタ組立体であって、
第１の電極に隣接する第１の同調可能でない誘電体層（３４）と、
第１の同調可能でない誘電体層に隣接し、第１の電極及び第１の同調可能でない誘電体層と共に第１の直流阻止キャパシタを形成する第３の電極（３８）と、
第２の電極に隣接する第２の同調可能でない誘電体層（３６）と、
第２の同調可能でない誘電体層に隣接し、第２の電極及び第２の同調可能でない誘電体層と共に第２の直流阻止キャパシタを形成する第４の電極（４４）とより成ることを特徴とするバラクタ組立体。
【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  データストリーミング装置であって、
（ａ）  階層形のコード化アルゴリズムによってコード化されたデータフレームを受取るデータ入力部と、
（ｂ）  受取ったコード化データフレームを１つまたは複数の所定のパケット構造に挿入するためのパケット化手段であって、前記データフレームは、異なる各パケットシーケンスに挿入される各コード化層に関連するパケット化手段と、
（ｃ）  生成されたパケットを使用にあたって送信するためのネットワークインタフェースと、を具備し、
（ｄ）  前記パケット化手段によって生成された各パケットに対してデータシーケンス番号を割り当てるためのパケット番号付け手段であって、前記パケットに割り当てられたデータシーケンス番号は、前記パケット内に挿入されたコード化データの、前記データ入力における受け取り順序を示しているパケット番号付け手段を有し、
前記ネットワークインタフェースは前記割り当てられたデータシーケンス番号を使用にあたって前記パケットとともに伝送するように構成されていることを特徴とするデータストリーミング装置。
【請求項２】  前記パケット番号付け手段は、前記パケット化手段によって生成された各パケットに対して別のシーケンス番号を割り当てるように構成され、前記別のシーケンス番号は、前記パケットシーケンス内における前記パケットの位置を示すものである請求項１記載のデータストリーミング装置。
【請求項３】  階層形のコード化アルゴリズムによってコード化されたデータフレームを通信ネットワークを介して伝送する方法であって、
（ａ）符号化データフレームを受信するステップと、
（ｂ）データを前記データフレームから所定のパケット構造にしたがって生成されたデータパケットに挿入するステップであって、各層からのデータはデータパケットの個々のシーケンスに挿入されるステップと、
（ｃ）前記パケットを伝送するステップと、を具備し、
（ｄ）データシーケンス番号を各データパケットに割り当てるステップであって、前記データシーケンス番号は、デコーダに対する前記フレームの次の呈示に対して要求された順番を示しているステップと、
（ｅ）前記シーケンス番号を前記パケットとともに伝送するステップと、を有することを特徴とする方法。
【請求項４】  前記階層形のコード化アルゴリズムは、サンプリングされる順番ではなく復号される順番でビデオフレームを出力するビデオコード化アルゴリズムである請求項３記載の方法。
【請求項５】  ステップ（ｄ）は、各データパケットに別のシーケンス番号を割り当てることを含み、各パケットシーケンスに対して割り当てられる前記別のシーケンス番号は、前記パケットシーケンス内のデータパケットの伝送順番を示し、ステップ（ｅ）は前記別のシーケンス番号を伝送することを含む請求項３または４に記載の方法。
【請求項６】  前記１つまたは複数の個々にアクセスされるデータパケットシーケンスのうち少なくとも２つに関して前記データパケットを受取ることをさらに含む請求項３，４または５記載の方法。
【請求項７】  通信ネットワークを介して受取られたデータパケットの複数の個々にアクセス可能なシーケンス内で受信されたデータパケットを順序付ける方法であって、データパケットの各シーケンスは、階層形のコード化アルゴリズムによって出力されたコード化データフレームの異なる層に関連するデータフレームを移送し、各データパケットは、該データパケットに割り当てられ、前記コード化アルゴリズムから前記データパケットによって伝送されたコード化データの出力の順番を示すデータシーケンス番号と、データパケットの各シーケンス内における前記データパケットの位置を示す別のシーケンス番号と、を有し、
前記方法は、データパケットの前記アクセス可能なシーケンスの第１のシーケンス内で別のシーケンス番号の順番でデータパケットを選択することと、割り当てられたデータシーケンス番号の順番で前記第１のシーケンスから選択されたパケットを出力することと、シーケンス以外のデータシーケンス番号をもつ前記第１のシーケンスからのパケットを選択したときに、データシーケンス番号にしたがって、次の予期されるパケットに対する前記個々にアクセス可能な他のシーケンスを探索すること、とを具備する方法。
【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  電話回線媒体上で他のネットワークステーション間でネットワーク信号を送信し受信するように構成されるネットワークステーションであって、前記ネットワークステーションは、
物理層トランシーバと、
媒体アクセスコントローラ層と、
開放型システム間相互接続（ＯＳＩ）に従って接続されるオペレーティングシステム層とを含む媒体アクセストランシーバを含み、
前記物理層トランシーバは、前記電話回線媒体から第１のデータパケットを受信し、選択された出力利得および送信速度において第２のデータパケットを前記電話回線媒体上に送信するように構成されており、
前記媒体アクセスコントローラ層は前記物理層トランシーバから転送されるデジタル信号を受信するように、かつ前記第１のデータパケットにおいてエラーの存在を検出するように構成されており、
前記オペレーティングシステム層は、前記第１のデータパケットにおける検出されたエラーが所定のしきい値に達したことに基づいて前記物理層トランシーバが制御データパケットを前記電話回線媒体上に出力するようにさせるように構成されるリンクコントローラを含み、前記制御データパケットは、受信されたデータパケットにおける前記エラーを減少するために前記他のネットワークステーションが送信パラメータを調整するようにさせる、ネットワークステーション。
【請求項２】  前記リンクコントローラは、所定の時間間隔内の前記検出されたエラーの数を数えるためのエラーカウンタを含み、前記リンクコントローラは、前記エラーカウンタが前記所定のしきい値に達したことに応答して前記物理層トランシーバが前記制御データパケットを出力するようにさせる、請求項１に記載のネットワークステーション。
【請求項３】  前記リンクコントローラはさらに、前記第２のデータパケットを送信するのに用いられたリンク速度を記憶するための第１のレジスタと前記選択された出力利得を記憶するための第２のレジスタとを含み、前記リンクコントローラは、前記物理層トランシーバによる前記制御データパケットにおける送信のためにより低いリンク速度およびより高い出力利得のうちの少なくとも１つを前記送信パラメータのうちの対応する１つとして出力する、請求項２に記載のネットワークステーション。
【請求項４】  前記物理層トランシーバは、前記電話回線媒体からの前記受信された
ネットワーク信号から前記第１のデータパケットを復元するように構成され、前記物理層トランシーバは、それぞれ、前記第２のデータパケットの送信に用いられたリンク速度および前記選択された出力利得を記憶するための第１および第２のレジスタを有し、
前記第１のデータパケット内の前記エラーを検出するように構成されるエラー検出回路を有する前記媒体アクセスコントローラ層を含む、請求項１に記載のネットワークステーション。
【請求項５】  前記リンクコントローラは第３および第４のレジスタを含み、前記リンクコントローラは、前記リンク速度および前記選択された出力利得を前記第１および第２のレジスタから前記第３および第４のレジスタの中へそれぞれ複写するように構成されており、前記リンクコントローラは、前記制御データパケットにおける転送のため、前記媒体アクセスコントローラへ、記憶されたリンク速度および記憶された選択された出力利得に対してより低いリンク速度およびより高い出力利得のうちの少なくとも１つを出力する、請求項４に記載のネットワークステーション。
【請求項６】  前記物理層トランシーバは、前記制御データパケットをアクセス識別子（ＡＩＤ）制御パケットとして出力する、請求項１に記載のネットワークステーション。
【請求項７】  前記物理層トランシーバは、前記電話回線媒体を介して別のネットワークステーションから前記制御データパケットを受信したことに応答して前記第２のデータパケットに対して前記送信速度および前記選択された出力利得のうちの少なくとも１つを選択的に調整する、請求項１に記載のネットワークステーション。
【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】  下記手段を具備する装置：
第２のステーションにより送信された信号の信号対雑音比を測定するため第１のステーションに接続された手段；
ループゲイン，前記信号対雑音比，及び信号対雑音比のしきい値の関数として前記信号の送信信号電力を調整するための手段；
該受信信号の信号の質を測定するため前記第１のステーションに連結された手段；
前記信号の質及び信号の質のしきい値の関数として前記信号対雑音比のしきい値を調整するための手段；
前記信号のフェージングレートを測定するため前記第１のステーションに連結された手段；及び
前記フェージングレート及びフェージングレートのしきい値の関数として前記ループゲインを調整するための手段。
【請求項２】  前記信号の質及び前記信号の質のしきい値がエラー発生の検出に基づく、請求項１の装置。
【請求項３】  前記エラー発生がエラーレート，ビットエラーレート，及びフレームエラーレートを含むグループから選択される、請求項２の装置。
【請求項４】  前記信号が複数のフレームを具備し、及び前記信号対雑音比のしきい値を調整するための前記手段が下記を具備する、請求項１の装置：
現フレームがエラーを有し及び所定の数の前フレームが、増加の間に事前に選択された最小の周期を有するエラーを有さない時、前記信号対雑音比のしきい値を増加させるための手段；及び
その他の時では前記信号対雑音比のしきい値を減少させるための手段。
【請求項５】  前記信号対雑音比のしきい値は前記最小の周期に渡って事前に選択された少量を減少される、請求項４の装置。
【請求項６】  下記を具備する請求項４の装置：
前記増加させるための手段は前記信号対雑音比のしきい値を予め定められた量を増加させる手段を具備し；及び
前記減少させるための手段は前記信号対雑音比のしきい値を前記予め定められた量よりも少ない量を減少させる手段を具備する。
【請求項７】  前記ループゲインを調整するための前記手段は下記を具備する、請求項１の装置：
前記フェージングレートが前記フェージングレートのしきい値以下の時前記ループゲインを第１のループゲインに設定するための手段；及び
前記フェージングレートが前記フェージングレートのしきい値以上の時、前記ループゲインを第２のループゲインに設定するための手段。
【請求項８】  前記第２のループゲインが前記第１のループゲインよりも小さい、請求項７の装置
【請求項９】  前記信号対雑音比のしきい値以下の前記信号対雑音比の多重偏位(multiple excursions)が前記送信信号電力の連続調整の間に発生するとき、前記フェージングレートが前記フェージングレートのしきい値以上であることを決定するための手段をさらに具備する、請求項１の装置。
【請求項１０】  下記をさらに具備する、請求項１の装置：
時系列を形成するために、複数の前記信号対雑音比の測定結果を蓄積するための手段；及び
前記フェージングレートを形成するために前記時系列をフィルタするハイパスフィルタ。
【請求項１１】  下記手段を具備する装置：
第２のステーションにより送信された信号の信号対雑音比を測定するため第１のステーションに連結された手段；
ループゲイン，前記信号対雑音比，及び信号対雑音比のしきい値の関数として前記信号の送信信号電力を調整するための手段；
該受信信号の信号の質を測定するため前記第１のステーションに連結された手段；
前記信号の質及び信号の質のしきい値の関数として前記信号対雑音比のしきい値を調整するための手段；
前記第１のステーションにより送信された後続の信号のフェージングレートを測定するため前記第２のステーションに連結された手段；及び
前記フェージングレート及びフェージングレートのしきい値の関数として前記ループゲインを調整するための手段。
【請求項１２】  前記信号の質及び前記信号の質のしきい値がエラー発生の検出に基づいている、請求項１１の装置。
【請求項１３】  前記エラー発生がエラーレート，ビットエラーレート及びフレームエラーレートを含むグループから選択される、請求項１２の装置。
【請求項１４】  前記信号が複数のフレームを具備し、及び前記信号対雑音比のしきい値を調整するための前記手段が下記を具備する、請求項１１の装置：
現フレームはエラーを有し、そして所定の数の前フレームは増加の間、事前に選択された最小の周期を持つエラーを有さない時、前記信号対雑音比のしきい値を増加させるための手段；及び
その他では前記信号対雑音比のしきい値を減少させるための手段。
【請求項１５】  前記信号対雑音比のしきい値は前記最小の周期に渡って事前に選択された少量を減少される、請求項１４の装置。
【請求項１６】  請求項１１の装置であって、
前記増加させるための手段は前記信号対雑音比のしきい値を予め定められた量を増加させるための手段を具備し；及び
前記減少させるための手段は前記信号対雑音比のしきい値を前記予め定められた量よりも少ない量を減少させるための手段を具備する、    
請求項１１の装置。
【請求項１７】  前記ループゲインを調整するための前記手段は下記を具備する、請求項１１の装置：
前記フェージングレートが前記フェージングレートのしきい値以下の時、前記ループゲインを第１のループゲインに設定するための手段；及び
前記フェージングレートが前記フェージングレートのしきい値以上の時、前記ループゲインを第２のループゲインに設定するための手段。
【請求項１８】  前記第２のループゲインが前記第１のループゲインよりも小さい、請求項１７の装置
【請求項１９】  フェージングレートを測定するための前記手段は前記後続の信号の後続の信号対雑音比を測定するための手段を具備する、請求項１１の装置
【請求項２０】  後続の信号対雑音比のしきい値以下の前記後続の信号対雑音比の多重偏位が前記送信信号電力の連続調整の間に発生するとき、前記フェージングレートが前記フェージングレートのしきい値以上であることを決定するための手段をさらに具備する、請求項１９の装置。
【手続補正書】
【提出日】平成18年10月5日(2006.10.5)
【手続補正１】
【補正対象書類名】明細書
【補正対象項目名】特許請求の範囲
【補正方法】変更
【補正の内容】
【特許請求の範囲】
【請求項１】
一次局と複数の二次局とを有する符号分割多元接続方式を用いる無線通信システムを動作させる方法であって、
前記一次局が、一次スクランブリングコードを使用して非スロッテッド・フレームのデータを符号化し、二次スクランブリングコードを使用してスロッテッド・フレームのアクティブ部分のデータの少なくとも一部を符号化する工程と、
前記一次局が、１つの二次局に対し、前記符号化する工程により符号化されたデータを、前記非スロッテッド・フレームと前記スロッテッド・フレームのアクティブ部分とにおいて伝送する工程とを含むことを特徴とする方法。
【請求項２】
前記スロッテッド・フレームのアクティブ部分のデータの全部が、前記二次スクランブリングコードを使用して符号化されることを特徴とする、請求項１に記載の方法。
【請求項３】
前記スロッテッド・フレームのアクティブ部分内において、データの第１の部分が前記一次スクランブリングコードを使用して符号化され、データの第２の部分が前記二次スクランブリングコードを使用して符号化され、前記第１の部分と前記第２の部分とが、同時に伝送されることを特徴とする、請求項１に記載の方法。
【請求項４】
符号分割多元接続方式を用いる無線通信システムに使用される一次局であって、
１つの二次局に対し、非スロッテッド・フレームと、スロッテッド・フレームのアクティブ部分とにおいて、データを伝送する手段と、
前記非スロッテッド・フレームのデータを、一次スクランブリングコードを使用して符号化する手段と、
前記スロッテッド・フレームのアクティブ部分のデータの少なくとも一部を、二次スクランブリングコードを使用して符号化する手段とを含むことを特徴とする、一次局。
【請求項５】
前記スロッテッド・フレームのアクティブ部分のデータの全部が、前記二次スクランブリングコードを使用して符号化されることを特徴とする、請求項４に記載の一次局。
【請求項６】
前記スロッテッド・フレームのアクティブ部分のデータの第１の部分を、前記一次スクランブリングコードを使用して符号化し、前記スロッテッド・フレームのアクティブ部分のデータの第２の部分を、前記二次スクランブリングコードを使用して符号化する手段と、
前記第１の部分と前記第２の部分とを、同時に伝送する手段とを含むことを特徴とする、請求項４に記載の一次局。
【請求項７】
符号分割多元接続方式を用いる無線通信システムに使用される二次局であって、
一次局から、非スロッテッド・フレームと、スロッテッド・フレームのアクティブ部分とにおいて、データを受信する手段であって、一次スクランブリングコードを使用して符号化された前記非スロッテッド・フレームのデータと、少なくとも一部が二次スクランブリングコードを使用して符号化された前記スロッテッド・フレームのアクティブ部分のデータとを、受信することができる手段を含むことを特徴とする二次局。
【請求項８】
前記データを受信する手段が、全部が前記二次スクランブリングコードを使用して符号化された前記スロッテッド・フレームのアクティブ部分のデータを、受信することができるものであることを特徴とする、請求項７に記載の二次局。
【請求項９】
前記データを受信する手段が、前記一次スクランブリングコードを使用して符号化された、前記スロッテッド・フレームのアクティブ部分のデータの第１の部分、および前記二次スクランブリングコードを使用して符号化された、前記スロッテッド・フレームのアクティブ部分のデータの第２の部分であって、同時に伝送された前記第１の部分および前記第２の部分を受信することができるものであることを特徴とする、請求項７に記載の二次局。
【請求項１０】
請求項４に記載の一次局と、請求項７に記載の二次局とを含むことを特徴とする、無線通信システム。
【手続補正書】
【提出日】平成18年10月27日(2006.10.27)
【手続補正１】
【補正対象書類名】明細書
【補正対象項目名】特許請求の範囲
【補正方法】変更
【補正の内容】
【特許請求の範囲】
【請求項１】  開口および切欠を有する基板を含む電子アセンブリ用のカバーであって、
パネルと、
前記パネルから延び、基板の開口を介して挿入することができるスナップイン・ピンと、
前記パネルから延び、前記スナップイン・ピンが基板開口を介して挿入されたときに基板に力を加える突起付ピンと
を備えるカバー。
【請求項２】  開口および切欠を有する基板と、
前記基板に結合された集積回路と、
パネルから前記基板の前記開口を介して延びるスナップイン・ピン、および前記パネルから延び、前記基板に力を加える突起付ピンを有するカバーと
を備える電気アセンブリ。
【請求項３】  電子アセンブリを組み立てる方法であって、
カバーのスナップイン・ピンを基板開口を介して挿入し、かつ前記カバーの突起付ピンを基板と係合するように挿入することを含み、それにより突起付ピンが基板にばね力を及ぼす方法。
【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  娯楽番組の選択を受信するステップと、電子番組ガイドを検索して、ユーザによって指定された、前記選択された娯楽番組の一定時間内に開始する、前記選択された娯楽番組の代替バージョンを識別するステップであって、前記識別された代替バージョンが、前記選択された娯楽番組と同じ番組であるステップと、前記識別された代替バージョンの各々に対して、そのバージョンに関する記述情報のセットを識別するステップであって、前記記述情報のセットが、前記バージョンの継続時間、前記バージョンにおけるオーディオ・サポートのタイプ、前記バージョンに対する拡張番組の利用可能性、前記バージョンにおける字幕の言語、前記バージョンにおいて話される言語、および、前記バージョンのスクリーン・フォーマットを含むステップと、前記記述情報のセットに基づいて、表示のために、前記バージョンのうちの１つを自動的に選ぶステップと、前記娯楽番組の前記選ばれたバージョンを表示するステップと、を含んでなる方法。
【請求項２】  プロセッサによって実行されたとき、娯楽番組の選択を受信するステップと、電子番組ガイドを検索して、ユーザによって指定された、前記選択された娯楽番組の一定時間内に開始する、前記選択された娯楽番組の代替バージョンを識別するステップであって、前記識別された代替バージョンが、前記選択された娯楽番組と同じ番組であるステップと、前記識別された代替バージョンの各々に対して、そのバージョンに関する記述情報のセットを識別するステップであって、前記記述情報のセットが、前記バージョンの継続時間、前記バージョンにおけるオーディオ・サポートのタイプ、前記バージョンに対する拡張番組の利用可能性、前記バージョンにおける字幕の言語、前記バージョンにおいて話される言語、および、前記バージョンのスクリーン・フォーマットを含むステップと、前記記述情報のセットに基づいて、表示のために、前記バージョンのうちの１つを自動的に選ぶステップと、前記娯楽番組の前記選ばれたバージョンを表示するステップと、をもたらす複数の命令を記憶している記憶媒体。
【請求項３】  娯楽番組を受信するステップを行うための番組ガイド・コントローラと、娯楽番組の選択を受信するステップと、電子番組ガイドを検索して、ユーザによって指定された、前記選択された娯楽番組の一定時間内に開始する、前記選択された娯楽番組の代替バージョンを識別するステップであって、前記識別された代替バージョンが、前記選択された娯楽番組と同じ番組であるステップと、前記識別された代替バージョンの各々に対して、そのバージョンに関する記述情報のセットを識別するステップと、前記記述情報のセットに基づいて、表示のために、前記バージョンのうちの１つを自動的に選ぶステップであって、前記バージョンの各々に対する前記記述情報のセットが、前記バージョンの継続時間、前記バージョンにおけるオーディオ・サポートのタイプ、前記バージョンに対する拡張番組の利用可能性、前記バージョンにおける字幕の言語、前記バージョンにおいて話される言語、および、前記バージョンのスクリーン・フォーマットを含むステップと、を行うための、前記番組ガイド・コントローラに結合された選択コントローラと、前記娯楽番組の前記選ばれたバージョンを表示するステップを行うための、前記選択コントローラに結合されたデバイス・コントローラと、を備えてなる装置。
【請求項４】  娯楽番組の選択を受信する手段と、ユーザによって指定された、前記選択された娯楽番組の一定時間内に開始する、前記選択された娯楽番組の代替バージョンを識別するステップであって、前記識別された代替バージョンが、前記選択された娯楽番組と同じ番組であるステップと、前記識別された代替バージョンの各々に対して、そのバージョンに関する記述情報のセットを識別するステップであって、前記記述情報のセットが、前記バージョンの継続時間、前記バージョンにおけるオーディオ・サポートのタイプ、前記バージョンに対する拡張番組の利用可能性、前記バージョンにおける字幕の言語、前記バージョンにおいて話される言語、および、前記バージョンのスクリーン・フォーマットを含むステップとを行うために電子番組ガイドを検索する、前記受信する手段に結合された手段と、表示のために、前記バージョンのうちの１つを自動的に選ぶ手段と、前記娯楽番組の前記選ばれたバージョンを表示する、前記自動的に選ぶ手段に結合された手段と、を備えてなる装置。
【請求項５】  娯楽番組を受信するためのＩ／Ｏ（入出力）インタフェースと、娯楽番組の選択を受信するためのユーザ・インターフェイスと、娯楽番組の複数のバージョンの各々に関する記述情報のセットを有する番組ガイド・メモリであって、前記記述情報のセットが、前記バージョンの継続時間、前記バージョンにおけるオーディオ・サポートのタイプ、前記バージョンに対する拡張番組の利用可能性、前記バージョンにおける字幕の言語、前記バージョンにおいて話される言語、および、前記バージョンのスクリーン・フォーマットを含む番組ガイド・メモリと、前記番組ガイド・メモリのプットに前記娯楽番組を記憶させるための番組ガイド・コントローラと、娯楽番組の選択の受信に基づいて、ユーザによって指定された、前記選択された娯楽番組の一定時間内に開始する、利用可能な、前記選択された娯楽番組の代替バージョンを自動的に識別するために、前記番組ガイド・メモリにアクセスするためのものであり、前記識別された代替バージョンが、前記選択された娯楽番組と同じ番組である、前記番組ガイド・コントローラに結合された選択コントローラであって、かつ、前記記述情報のセットに基づいて、表示のために、前記複数のバージョンのうちの１つを選ぶための選択コントローラと、表示デバイス上に、前記娯楽番組の前記選ばれたバージョンを表示させるための、前記選択コントローラに結合されたデバイス・コントローラと、を備えてなる娯楽システム・コントローラ。
【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  番組送信用のアップグレードされたメディア・フィーチャを購入する選択を受信するステップと、
前記番組送信用の前記アップグレードされたメディア・フィーチャの購入に関して自動的にコーディネートするステップと、
前記アップグレードされたメディア・フィーチャによる前記番組送信を、前記選択を送ったクライアント・システムに供給するように、複数の番組送信元の少なくとも１つに指示することによって、前記番組送信用の前記アップグレードされたメディア・フィーチャの供給に関して自動的にコーディネートするステップであって、前記複数の番組送信元の前記少なくとも１つが、前記番組送信の前記クライアント・システムへの送信を、前記アップグレードされたメディア・フィーチャで修正するか、前記複数の番組送信元の前記少なくとも１つが、前記番組送信の受信を、前記クライアント・システムにおいて、前記アップグレードされたメディア・フィーチャで修正するためのトークンをサーバ・システムに供給して、前記サーバ・システムが、前記クライアント・システムに前記トークンを供給するかのいずれかがなされる、コーディネートするステップと、
を含んでなる方法。
【請求項２】  番組送信用のアップグレードされたメディア・フィーチャを購入する選択を受信し、前記番組送信用の前記アップグレードされたメディア・フィーチャの購入に関して自動的にコーディネートし、そして、前記番組送信用の前記アップグレードされたメディア・フィーチャの供給に関して自動的にコーディネートするためのサーバ・システムを
備えてなる装置であって、
前記サーバ・システムが、
前記アップグレードされたメディア・フィーチャによる前記番組送信を、前記選択を送ったクライアント・システムに供給するように、複数の番組送信元の少なくとも１つに指示するための処理サーバであって、前記複数の番組送信元の前記少なくとも１つが、前記番組送信の前記クライアント・システムへの送信を、前記アップグレードされたメディア・フィーチャで修正するか、前記複数の番組送信元の前記少なくとも１つが、前記番組送信の受信を、前記クライアント・システムにおいて修正するためのトークンを前記処理サーバに供給して、前記処理サーバが、前記クライアント・システムに前記トークンを供給するかのいずれかがなされる処理サーバと、前記アップグレードされたメディア・フィーチャによる前記番組送信の前記購入に関してコーディネートするための課金プロセッサと、を具備する、装置。
【請求項３】  クライアント・システムからの、番組送信用のアップグレードされたメディア・フィーチャを購買する選択を受信するための受信器と、
前記アップグレードされたメディア・フィーチャによる前記番組送信を、前記クライアント・システムに供給するように、複数の番組送信元の少なくとも１つに指示することによって、前記番組送信用の前記アップグレードされたメディア・フィーチャの購買に関して自動的にコーディネートするための購買ユニットであって、前記複数の番組送信元の前記少なくとも１つが、前記番組送信の前記クライアント・システムへの送信を、前記等級別に分類していないメディア・フィーチャで修正するか、前記番組送信の受信を、前記クライアント・システムにおいて、前記アップグレードされたメディア・フィーチャで修正するためのトークンを供給するかのいずれかをなす購買ユニットと、
前記番組送信用の前記アップグレードされたメディア・フィーチャ、および、前記トークンの供給に関して自動的にコーディネートするための供給ユニットと、
を備えてなる装置。
【請求項４】  番組送信用のアップグレードされたメディア・フィーチャを購入する選択を受信するための手段と、
前記番組送信用の前記アップグレードされたメディア・フィーチャの購入に関して自動的にコーディネートするための手段と、
前記アップグレードされたメディア・フィーチャによる前記番組送信を、前記選択を送ったクライアント・システムに供給するように、複数の番組送信元の少なくとも１つに指示することによって、前記番組送信用の前記アップグレードされたメディア・フィーチャの供給に関して自動的にコーディネートするための手段であって、前記複数の番組送信元の前記少なくとも１つが、前記番組送信の前記クライアント・システムへの送信を、前記アップグレードされたメディア・フィーチャで修正するか、前記複数の番組送信元の前記少なくとも１つが、前記番組送信の受信を、前記クライアント・システムにおいて、前記アップグレードされたメディア・フィーチャで修正するためのトークンを前記サーバ・システムに供給して、前記サーバ・システムが、前記クライアント・システムに前記トークンを供給するかのいずれかがなされる、コーディネートするための手段と、
を備えてなる装置。
【請求項５】  サーバ・システムからクライアント・システムにアップグレードされたメディア・フィーチャを供給するためのシステムであって、
サーバ・システムに、番組送信用のアップグレードされたメディア・フィーチャを購買する選択を送るための送信ユニットと、
前記番組送信を受信するための受信ユニットと、
を具備するクライアント・システムと、
前記クライアント・システムからの前記選択を受信するための受信器と、
前記アップグレードされたメディア・フィーチャによる前記番組送信を、前記クライアント・システムに供給するように、複数の番組送信元の少なくとも１つに指示することによって、前記番組送信用の前記アップグレードされたメディア・フィーチャの購買に関して自動的にコーディネートするための購買ユニットであって、前記複数の番組送信元の前記少なくとも１つが、前記番組送信の前記クライアント・システムへの送信を、前記アップグレードされたメディア・フィーチャで修正するか、前記番組送信の受信を、前記クライアント・システムにおいて、前記アップグレードされたメディア・フィーチャで修正するためのトークンを供給するかのいずれかをなす購買ユニットと、
前記番組送信用の前記アップグレードされたメディア・フィーチャ、および、前記トークンの供給に関して自動的にコーディネートするための供給ユニットと、
を具備するサーバ・システムと、を備えてなるシステム。
【手続補正書】
【提出日】平成18年11月6日(2006.11.6)
【手続補正１】
【補正対象書類名】明細書
【補正対象項目名】特許請求の範囲
【補正方法】変更
【補正の内容】
【特許請求の範囲】
【請求項１】  視聴者に放送を提示するステップと、
前記放送に対する視聴者フィードバックを受信するステップであって、フィードバックを提供するという視聴者からの要求に応答して質問表を提供するステップを含むステップと、
前記放送に対する前記受信された視聴者フィードバックに、少なくとも部分的に基づいて、前記放送の格付けを作成するステップであって、前記格付けは、潜在的後続視聴者が前記第１の放送に関心を持つ尤度を示すステップと、
前記放送の前記格付けを、潜在的後続視聴者に提供するステップと、を、
含んでなる方法。
【請求項２】  放送に対する、前記放送の複数の相異なる視聴者からの視聴者フィードバックを受信するステップであって、フィードバックを提供するという視聴者からの要求に応答して質問表を提供するステップを含むステップと、
前記放送に対する前記受信された視聴者フィードバックに、少なくとも部分的に基づいて、前記放送の格付けを作成するステップであって、前記格付けは、潜在的後続視聴者が前記第１の放送に関心を持つ尤度を示すステップと、
前記放送の潜在的後続視聴者に表示するために、電子通信デバイスを通じて、前記放送の前記格付けを提供するステップと、を、
含んでなる方法。
【請求項３】  機械によって実行されるとき、
視聴者に放送を提示するステップと、
前記放送に対する視聴者フィードバックを受信するステップであって、フィードバックを提供するという視聴者からの要求に応答して質問表を提供するステップを含むステップと、
前記放送に対する前記受信された視聴者フィードバックに、少なくとも部分的に基づいて、前記放送の格付けを作成するステップであって、前記格付けは、潜在的後続視聴者が前記第１の放送に関心を持つ尤度を示すステップと、
前記放送の前記格付けを、潜在的後続視聴者に提供するステップと、を含んでなる演算を前記機械に行わせる命令系列を表わすデータを記憶している機械可読媒体。
【請求項４】  機械によって実行されるとき、
放送に対する、前記放送の複数の相異なる視聴者からの視聴者フィードバックを受信するステップと、
前記放送に対する前記受信された視聴者フィードバックに、少なくとも部分的に基づいて、前記放送の格付けを作成するステップであって、前記格付けは、潜在的後続視聴者が前記第１の放送に関心を持つ尤度を示し、そして、前記格付けは、視聴者の相異なるカテゴリに対して個別の格付けを作成するために視聴者の特性情報を用いるステップと、
前記放送の潜在的後続視聴者に表示するために、電子通信デバイスを通じて、前記放送の前記格付けを提供するステップと、を含んでなる演算を前記機械に行わせる命令系列を表わすデータを記憶している機械可読媒体。
【請求項５】  表示デバイス上に視聴者に対して提示される放送に関する質問表を記憶する記憶媒体と、
前記放送の視聴者にフィードバック質問表を提供するための制御回路であって、前記視聴者からの要求に応答して、前記記憶媒体から前記質問表を検索する制御回路と、
前記フィードバック質問表に基づく、前記放送に対する視聴者フィードバックを受信するための視聴者インターフェイスと、
サーバシステムに、前記放送に対する前記視聴者フィードバックを提供し、また、他の視聴者からの視聴者フィードバックに基づく、他の利用可能な放送に関する格付けを、前記サーバシステムから受信するための通信インターフェイスであって、前記格付けは、前記視聴者が前記利用可能な放送に関心を持つ尤度を示す通信インターフェイスと、
を備えてなる娯楽システム・コントローラであって、
前記制御回路が、前記視聴者に、他の利用可能な放送に関する前記格付けをさらに提供する娯楽システム・コントローラ。
【請求項６】  放送に対する、前記放送の複数の相異なる視聴者からの視聴者フィードバックを受信するための通信インターフェイスであって、前記視聴者フィードバックとともに、視聴者の特性情報を受信する通信インターフェイスと、
前記放送に対する前記受信された視聴者フィードバックに、少なくとも部分的に基づいて、前記放送の格付けを作成するためのプロセッサであって、前記格付けは、潜在的後続視聴者が前記第１の放送に関心を持つ尤度を示し、前記格付けは、視聴者の相異なるカテゴリに対して個別の格付けを作成するために前記視聴者の特性情報を用いて作成されるプロセッサと、を、
備えてなる娯楽サーバシステムであって、
前記通信インターフェイスが、前記放送の潜在的後続視聴者に表示するために、視聴者の娯楽システムに前記放送の前記格付けを提供する娯楽サーバシステム。
【手続補正書】
【提出日】平成18年10月27日(2006.10.27)
【手続補正１】
【補正対象書類名】明細書
【補正対象項目名】特許請求の範囲
【補正方法】変更
【補正の内容】
【特許請求の範囲】
【請求項１】  番組ガイドデータがユーザテレビ機器に実装された双方向テレビ番組ガイドに提供され、該番組ガイドデータがテレビ番組に関連する一意的な識別子を含む、双方向テレビ番組ガイドシステムであって、該システムは、
特定のテレビ番組に関連する特定の一意的な識別子であって、連続的なデータストリームに含まれる特定の一意的な識別子を選択する手段であって、該特定のテレビ番組は、番組グループに属している、手段と、
該特定のテレビ番組が現在放送中である場合にのみ、該連続的なデータストリーム内の該特定の一意的な識別子を該ユーザテレビ機器に配信する手段と、
該特定の一意的な識別子が存在することを求めて該連続的なデータストリームを監視する手段であって、該特定の一意的な識別子が存在することは、該特定のテレビ番組が現在放送中である場合を示す、手段と、
該特定の一意的な識別子が該連続的なデータストリームにおいて検出される場合に、該特定のテレビ番組に関連するリアルタイムのアクションを実行する手段と、
該番組グループに属している少なくとも１つの他のテレビ番組に関連するアクションを実行する手段と
を備える、システム。
【請求項２】  前記リアルタイムのアクションは、前記特定の番組に対する番組リマインダを表示すること、該特定の番組の視聴を認証すること、該特定の番組を記録すること、該特定の番組をロックして、ユーザに制御コードを促すことから構成されるグループから選択される、請求項１に記載のシステム。
【請求項３】  前記リアルタイムのアクションを実行する手段は、該リアルタイムのアクションが実行される場合に、前記連続的なデータストリームから現在の番組ガイドデータをプレフェッチする手段を備えている、請求項１に記載のシステム。
【請求項４】  番組ガイドデータがユーザテレビ機器に実装された双方向テレビ番組ガイドに提供され、該番組ガイドデータがテレビ番組に関連する一意的な識別子を含む、双方向テレビ番組ガイドシステムにおける方法であって、該方法は、
特定のテレビ番組に関連する特定の一意的な識別子であって、連続的なデータストリームに含まれる特定の一意的な識別子を選択することであって、該特定のテレビ番組は、番組グループに属している、ことと、
該特定のテレビ番組が現在放送中である場合にのみ、該連続的なデータストリーム内の該特定の一意的な識別子を該ユーザテレビ機器に配信することと、
該特定の一意的な識別子が存在することを求めて該連続的なデータストリームを監視することであって、該特定の一意的な識別子が存在することは、該特定の番組が現在放送中である場合を示す、ことと、
該特定の一意的な識別子が該連続的なデータストリームにおいて検出される場合に、該特定のテレビ番組に関連するリアルタイムのアクションを実行することと、
該番組グループに属する少なくとも１つの他のテレビ番組に関連するアクションを実行することと
を包含する、方法。
【請求項５】  前記リアルタイムのアクションは、前記特定の番組に対する番組リマインダを表示すること、該特定の番組の視聴を認証すること、該特定の番組を記録すること、該特定の番組をロックして、ユーザに制御コードを促すことから構成されるグループから選択される、請求項４に記載の方法。
【請求項６】  前記リアルタイムのアクションが実行される場合に、前記双方向テレビ番組ガイドを用いて、前記連続的なデータストリームから現在の番組ガイドデータをプレフェッチすることをさらに包含する、請求項４に記載の方法。
【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】  酸化マンガンを含んでなる粒子の集合体であって、粒子の集合体は約２５０ｎｍ以下の平均粒径を有し、酸化マンガンは、非晶質酸化マンガン、結晶性ＭｎＯ、結晶性Ｍｎ5Ｏ8および結晶性Ｍｎ2Ｏ3からなる群から選ばれる構造を有する、粒子の集合体。
【請求項２】  粒子の集合体の平均粒径の約４倍より大きい直径を有する粒子を実質的に含んでいない、請求項１に記載の粒子の集合体。
【請求項３】  粒子の集合体が、粒子の少なくとも約９５パーセントが、その平均粒径の約４０パーセントより大きく、且つその平均粒径の約１６０パーセントより小さいような粒径分布を有する、請求項１に記載の粒子の集合体。
【請求項４】  酸化マンガン粒子を含んでなる陰極を有し、該酸化マンガン粒子は約２５０ｎｍ以下の平均粒径を有する、電池。
【請求項５】  約１ミクロン以下の平均粒径を有する複合材金属酸化物粒子の粉末を調製するためにエーロゾルを反応させることを含んでなる方法であって、該エーロゾルが第１金属化合物前駆体と第２金属化合物前駆体を含んでいる、複合材金属酸化物粒子を製造する方法。
【請求項６】  反応チャンバー中で反応物流を熱分解することを含んでなるリチウム金属酸化物を製造する方法であって、反応物流がリチウム前駆体、非リチウム金属前駆体、酸化剤および赤外線吸収剤を含んでなり、熱分解が光ビームから吸収された熱により駆動される、方法。
【請求項７】  反応物流がエーロゾルを含んでなる、請求項６に記載の方法。
【請求項８】  約２５０ｎｍ以下の平均粒径を有する、リチウム酸化マンガンを含んでなる粒子の集合体であって、粒子の集合体が、その粒子の少なくとも約９５パーセントが、その平均粒径の約４０パーセントより大きく、且つその平均粒径の約１６０パーセントより小さい直径を有するような粒径分布を有する、粒子の集合体。
【請求項９】  リチウム酸化マンガンが立方晶系スピネル結晶構造を有する、請求項８に記載の粒子の集合体。
【請求項１０】  リチウム酸化マンガン粒子を含んでなる電池であって、リチウム酸化マンガンの粒子が約２５０ｎｍ以下の平均粒径を有し、その粒子の少なくとも約９５パーセントがその平均粒径の約４０パーセントより大きく、且つその平均粒径の約１６０パーセントより小さい直径を有するような粒径分布を有する、電池。
【請求項１１】  リチウム酸化マンガンを含んでなる電池であって、２５サイクル後に初期値の約２０パーセント以内のサイクリング安定性を有する４ボルト電圧曲線を有する、電池。
【請求項１２】  リチウム酸化マンガンを含んでなる電池であって、１２０ｍＡｈ／ｇ以上の初期容量を有する、電池。
【請求項１３】  リチウム酸化マンガンを含んでなる粒子の集合体であって、粒子の集合体が約２５０ｎｍ以下の平均直径を有し、リチウム酸化マンガンが、８．２３オングストローム以下の、軸に沿った格子パラメータを有する、粒子の集合体。
【請求項１４】  生成物三成分粒子の三種の原子を含んでいる前駆体を含んでなる反応物流を反応させることを含んでなる結晶性の三成分粒子を製造する方法であって、反応物流中の三種の原子の相対量および反応条件が、結晶性の三成分粒子が生成するように選ばれる、方法。
【請求項１５】  結晶性の三成分粒子が二種の金属を含む金属酸化物を含んでなる、請求項１４に記載の方法。
【請求項１６】  反応物流がエーロゾルを含んでなる、請求項１４に記載の方法。
【請求項１７】  反応物流が分子状酸素を含んでなる、請求項１４に記載の方法。
【請求項１８】  マンガン前駆体とリチウム前駆体を含んでなる反応物流を反応させることを含んでなる結晶性リチウム酸化マンガン粒子を製造する方法であって、反応が電磁放射線からのエネルギーにより駆動される、方法。
【請求項１９】  約５００ｎｍ以下の平均粒径を有する、結晶性多成分金属酸化物を含んでなる粒子の集合体であって、そのリチウム酸化マンガン粒子が、その粒子の少なくとも約９５パーセントが、その平均粒径の約４０パーセントより大きく、且つその平均粒径の約１６０パーセントより小さい直径を有するような粒径分布を有する、粒子の集合体。
【手続補正書】
【提出日】平成18年10月25日(2006.10.25)
【手続補正１】
【補正対象書類名】明細書
【補正対象項目名】特許請求の範囲
【補正方法】変更
【補正の内容】
【特許請求の範囲】
【請求項１】  （ａ）エステルクォート、
（ｂ）油成分、および
（ｃ）部分グリセリド
を含有するカチオン性混合物の、皮膚清浄用および皮膚手入れ用製剤の製造のための使用。
【請求項２】  式(Ｉ):
【化１】
2002529390.tif 000001
[式中、Ｒ1ＣＯは炭素数６〜２２のアシル基であり、Ｒ2およびＲ3はそれぞれ、水素またはＲ1ＣＯと同意義であり、Ｒ4は炭素数１〜４のアルキル基または(ＣＨ2ＣＨ2Ｏ)qＨ基であり、m、nおよびpは、いずれも０であるか、または１〜１２の数であり、qは１〜１２の数であり、Ｘはハライド、アルキルスルフェートまたはアルキルホスフェートである。]
で示されるエステルクォートを使用する請求項１に記載の使用。
【請求項３】  式(II):
【化２】
2002529390.tif 000002
[式中、Ｒ1ＣＯは炭素数６〜２２のアシル基であり、Ｒ2は水素またはＲ1ＣＯと同意義であり、Ｒ4およびＲ5はそれぞれ、炭素数１〜４のアルキル基であり、mおよびnは、いずれも０であるか、または１〜１２の数であり、Ｘはハライド、アルキルスルフェートまたはアルキルホスフェートである。]
で示されるエステルクォートを使用する請求項１に記載の使用。
【請求項４】  式(III):
【化３】
2002529390.tif 000003
[式中、Ｒ1ＣＯは炭素数６〜２２のアシル基であり、Ｒ2は水素またはＲ1ＣＯと同意義であり、Ｒ4、Ｒ6およびＲ7はそれぞれ、炭素数１〜４のアルキル基であり、mおよびnは、いずれも０であるか、または１〜１２の数であり、Ｘはハライド、アルキルスルフェートまたはアルキルホスフェートである。]
で示されるエステルクォートを使用する請求項１に記載の使用。
【請求項５】  炭素数６〜１８（好ましくは８〜１０）の脂肪アルコールから誘導するゲルベアルコール、直鎖Ｃ6-22脂肪酸と直鎖Ｃ6-22脂肪アルコールとのエステル、分枝状Ｃ6-13カルボン酸と直鎖Ｃ6-22脂肪アルコールとのエステル、直鎖Ｃ6-22脂肪酸と分枝状アルコール（とりわけ２−エチルヘキサノール）とのエステル、ヒドロキシカルボン酸と直鎖もしくは分枝状Ｃ6-22脂肪アルコールとのエステル、直鎖および／または分枝状脂肪酸と多価アルコールおよび／またはゲルベアルコールとのエステル、Ｃ6-10脂肪酸トリグリセリド、Ｃ6-18脂肪酸の液体モノ−／ジ−／トリグリセリド混合物、Ｃ6-22脂肪アルコールおよび／またはゲルベアルコールと芳香族カルボン酸とのエステル、Ｃ2-12ジカルボン酸と直鎖もしくは分枝状Ｃ1-22アルコールまたはヒドロキシル基数２〜６のＣ2-10ポリオールとのエステル、植物油、分枝状第一級アルコール、置換シクロヘキサン、直鎖および分枝状Ｃ6-22脂肪アルコールカーボネート、ゲルベカーボネート、安息香酸と直鎖および／または分枝状Ｃ6-22アルコールとのエステル、直鎖もしくは分枝状の対称もしくは非対称ジアルキルエーテル（各アルキル基の炭素数６〜２２）、エポキシ化脂肪酸エステルのポリオールによる開環生成物、シリコーン油、および／または脂肪族もしくはナフテン族炭化水素から成る群から選択する油成分を使用する請求項１〜４のいずれかに記載の使用。
【請求項６】  式（IV）：
【化４】
2002529390.tif 000004
［式中、Ｒ8ＣＯは炭素数６〜２２の直鎖または分枝状、飽和および／または不飽和アシル基であり、Ｒ9およびＲ10はそれぞれ、Ｒ8ＣＯと同意義であるか、またはＯＨであり、（ｍ＋ｎ＋ｐ）の合計は０または１〜１００の数であり、ただし、２個の置換基Ｒ9およびＲ10の少なくとも一方はＯＨである。］
で示される部分グリセリドを使用する請求項１〜５のいずれかに記載の使用。
【請求項７】  場合によりエトキシル化したトリグリセリドとアルカノールアミンとをエステル交換し、次いでその反応混合物をアルキル化することによって直接得られるエステルクォートと部分グリセリドとの混合物を使用する請求項１〜６のいずれかに記載の使用。
【請求項８】  （ａ）エステルクォート０．１〜２５重量％、
（ｂ）油成分０．５〜９０重量％、および
（ｃ）部分グリセリド０．１〜７５重量％
を、水および場合により他の成分と合わせて全量１００重量％とする量で使用する請求項１〜７のいずれかに記載の使用。